(57)【要約】【課題】地下構築物特に地下鉄軌道壁に漏水対策に有益な漏水補修用パネルの取付構造の提供。【解決手段】二重壁２を貫通して躯体壁１に固定され、上下に配置されているアンカーボルト３と前記二重壁２の外側で前記アンカーボルト３の先端にナット締め等によって装着されたＬ字型の取付金具４と、該取付金具４の水平部４ｂにボルト、ナット等の止着具によって装着された端面Ｌ字型で長尺の上枠部材５及び下枠部材６と、該上枠部材５及び下枠部材６の内側に配置された複数のユニット化された導水パネル７とからなり、前記上枠部材５及び下枠部材６に、前記導水パネル７を夫々ビス止めすると共に、前記複数配列された導水パネル７の両サイドを前記二重壁２に固定される側枠部材８で押さえるようにした。【選択図】  図１
2004150252.tif 000002
【特許請求の範囲】
【請求項１】
二重壁２を貫通して躯体壁１に固定され、上下に配置されているアンカーボルト３と前記二重壁２の外側で前記アンカーボルト３の先端にナット締め等によって装着されたＬ字型の取付金具４と、該取付金具４の水平部４ｂにボルト、ナット等の止着具によって装着された端面Ｌ字型で長尺の上枠部材及び下枠部材６と、該上枠部材５及び下枠部材６の内側に配置された複数のユニット化された導水パネル７とからなり、前記上枠部材５及び下枠部材６に、前記導水パネル７を夫々ビス止めすると共に、前記複数配列された導水パネル７の両サイドを前記二重壁２に固定される側枠部材８で押さえるようになる漏水補修用パネルの取付構造。
【請求項２】
前記複数配列された各導水パネル７間に適度の空間部９を形成し、該空間部９の前記二重壁２に、コ字型の取付金具１０を固定し、この取付金具１０に長尺で端面コ字型の取付枠１１を装着すると共に、該取付枠１１に、同じく長尺で端面コ字型の目地枠１２を装着固定し、該目地枠１２の両側に突出する腕板１２ａ，１２ｂで前記導水パネル７の表面を押さえるようになる請求項１記載の漏水補修用パネルの取付構造。
【請求項３】
前記Ｌ字型の取付金具４の水平部４ｂに前後方向に延びる細長の取付孔４ｃを穿設し、この取付孔４ｃ並びに前記上枠部材５及び下枠部材６に穿設した止孔１３にボルト１４を挿通し、ナット１５を締着するようにした請求項１記載の漏水補修用パネルの取付構造。
【請求項４】
前記Ｌ字型の取付金具４に替えて、Ｚ字型近似の取付金具２４を使用し、該取付金具２４の立ち上り部２４ａに、縦長の止孔２４ｂを穿設し、この止孔２４ｂにアンカーボルト３を挿通してナット１６を締着すると共に、前記取付金具２４の垂下部２４ｃに前記と同じく縦長の止孔２４ｄを穿設し、この止孔２４ｄと前記上枠部材５及び下枠部材６に穿った横長のビス孔５ａ及び６ａを介してビス１７を導水パネル７に刺着するようになる請求項１及び２記載の漏水補修用パネルの取付構造。
【発明の詳細な説明】
【０００１】
【発明の属する技術分野】
本発明は、地下構築物の壁面、特に地下鉄駅軌道壁からの漏水対策として有益な漏水補修用パネルの取付構造に関する。
【０００２】
【従来の技術】
地下鉄構内の壁構造は、コンクリート躯体壁の外側に適度の空間（約１０ｃｍ程度）をおいてブロック壁があり、躯体壁のクラック等から流出する漏水を躯体壁とブロック壁の間にある空間を介して下側の側溝に排出するようになっている。しかし、長年の漏水により前記空間内にヘドロが堆積したり、或いはブロック壁の老朽化等によってブロック壁から構内への漏水事故が多発している。
この漏水対策として従来はブロック壁の作り直し或いはブロック壁に直接導水パネルを貼着するようにしている。
【０００３】
【発明が解決しようとする課題】
前記ブロック壁の作り直しの場合は、地下鉄駅構内という特殊な場所であるため、多くの時間的な制約を受け、又ブロック壁撤去に伴う産業廃棄物の発生等の多くの困難が内在し、著しくコスト高を招く欠点があり、又、ブロック壁に直接導水パネルを貼着する手段にあっては、漏水をおこすブロック壁は相当長年に亘り使用されていて既に老朽化しているのが現実であり、この老朽化した壁に導水パネルを貼付ること自体が非常に危険性が高く、ブロック壁が倒壊する事故も考慮しておくことも要求される。
【０００４】
本発明はブロック壁に貼付する導水パネルをブロック壁の奥にある躯体壁で支持するようにしてブロック壁に対する加重を軽減し、且つ作業性の向上に伴い前記従来の欠点を一掃し得る新規の漏水補修用パネルの取付構造の提供を目的としたものである。
【０００５】
【課題を解決するための手段】
本発明は、前記の目的を達成する手段として、二重壁２を貫通して躯体壁１に固定され、上下に配置されているアンカーボルト３と前記二重壁２の外側で前記アンカーボルト３の先端にナット締め等によって装着されたＬ字型の取付金具４と、該取付金具４の水平部４ｂにボルト、ナット等の止着具によって装着された端面Ｌ字型で長尺の上枠部材及び下枠部材６と、該上枠部材５及び下枠部材６の内側に配置された複数のユニット化された導水パネル７とからなり、前記上枠部材５及び下枠部材６に、前記導水パネル７を夫々ビス止めすると共に、前記複数配列された導水パネル７の両サイドを前記二重壁２に固定される側枠部材８で押さえるようになり、又前記複数配列された各導水パネル７間に適度の空間部９を形成し、該空間部９の前記二重壁２に、コ字型の取付金具１０を固定し、この取付金具１０に長尺で端面コ字型の取付枠１１を装着すると共に、該取付枠１１に、同じく長尺で端面コ字型の目地枠１２を装着固定し、該目地枠１２の両側に突出する腕板１２ａ，１２ｂで前記導水パネル７の表面を押さえるようにした。
【０００６】
【発明の実施の形態】
本発明の具体的な構造を図にもとづいて説明すると、地下鉄駅構内の壁は、前記の如く、躯体壁１の外側に適度の空間をもってブロック製の二重壁２が配置されており、躯体壁１から漏水した水は下側に形成されている側溝によって排出されるようになっている。
而して、本発明は、前記二重壁２を貫通したアンカーボルト３を躯体壁１に固定し、このアンカーボルト３の先端にＬ字型の取付金具４をナット１６により取付け、取付金具４を前記二重壁２の外側に配置する。この取付金具４は導水パネルの数に略々相当する数を上下部に配置する。尚前記アンカーボルト３に装着する取付金具４の止孔４ａは、縦方向の長孔にして該取付金具４の上下方向に対するアジャストを可能にすることもできる。
【０００７】
つぎに、前記取付金具４に装着する端面Ｌ字型で長尺の上枠部材５及び下枠部材６は、止孔１３があり、この止孔１３と、前記取付金具４の水平部４ｂに穿った前後方向に細長い取付孔４ｃにボルト１４を挿通し、ナット１５を締着することによって上枠部材５及び下枠部材６を取付金具４上に装着し、この上枠部材５及び下枠部材６は前記取付孔４ｃの範囲内において前後方向にアジャスト可能になっている。
【０００８】
また、複数のユニット化された導水パネル７の上下部を前記上枠部材５及び下枠部材６の内側に挿嵌すると共に、該上枠部材５及び下枠部材６に穿設したビス孔１８を介して各導水パネル７の上下部をビス１９によって固定し、さらに多数配列されている導水パネル７の両側には、前記二重壁２に固定される側枠部材８で押さえるようにしてある。
【０００９】
多数配列されている各導水パネル７は適度の空間部９を介して配置されており、この空間部９における前記二重壁２に拡径アンカ２０を打込み、この拡径アンカ２０にナット２１をもってコ字型の取付金具１０を上下部に固定すると共に、該取付金具１０に長尺で端面コ字型の取付枠１１をビス２２によって固定し、この取付枠１１に、同じく長尺の端面コ字型で且つ両側に腕板１２ａ，１２ｂを有する目地枠１２をビス２３で固定し、腕板１２ａ，１２ｂで導水パネル７を押さえるようになり、そして、前記側枠部材８は目地枠１２と同形状からなり、その固定手段も同じ方法をとっており、腕板の一方を延長してこれをＬ字型に折曲げた折曲部８ａにより側面の隠蔽を図っている。
【００１０】
又、前記Ｌ字型の取付金具４に替えてＺ字型近似の取付金具２４を使用することも可能であり、この取付金具２４の場合は、取付金具２４の立ち上がり部２４ａに、縦長の止孔２４ｂを穿設し、この止孔２４ｂにアンカーボルト３を挿通してナット１６を締着し、取付金具２４の埀下部２４ｃにも同じく縦長の止孔２４ｄを穿ち、この止孔２４ｄと前記上枠部材５及び下枠部材６に穿った横長のビス孔５ａ，５ｂを介して、ビス１７を導水パネル７に刺着するようにして導水パネル７を上下方向及び横方向にアジャスト可能にしている。
【００１１】
尚、前記導水パネル７は、第１パネル７ａと第２パネル７ｂから構成されており、第１パネル７ａは仕切板７ｃの長さ方向に中空ブロック７ｄを突設して該中空ブロック７ｄ上に不織布を貼付して各中空ブロック７ｄ間に導水路７ｅを形成してあり、又第２パネル７ｂは、前記仕切板７ｃと表面板７ｆとの間の空間部７ｇに、三角形状のリブ７ｈを多数突設してパネルの補強作用を図ると共に該空間部７ｇを断熱層或いは機能層とし、前記表面板７ｂ上に接着剤により不燃性の化粧板７ｉを貼着してある。
【００１２】
【発明の効果】
本発明は前述の構成からなり、以下に列挙する諸効果を有する。
（１）アンカーボルト３が二重壁２を貫通して躯体壁１に固定され、このアンカーボルト３に締着した取付金具４（又は取付金具２０）で各導水パネル７を押え込むようにしてあるので、二重壁２に導水パネルの重荷がかからず、二重壁２が老朽化しても各導水パネルを安定且つ確実に保持し得るばかりでなく、作業時に二重壁２の撤去作業が必要とせず、円滑且つ迅速な作業性が保障され、時間的な制約を受ける地下鉄構内での作業に最適であり、さらに従来のような二重壁撤去による産業廃棄物の発生問題も完全に抑制することが可能となるものであって、従来の手法に比し、作業コストを著しく削減し得る利点を有する。
（２）多数配列された各導水パネル７間には適度の空間部９があり、この空間部９内に静止固定された目地枠１２の腕板１２ａ，１２ｂが、前記導水パネル７を押さえるようにしてあり、前記上枠部材５及び下枠部材６による押え込みと相俟って各導水パネル７を安定的に支持するようになる利点を有する。
（３）取付金具４の水平部４ｂに前後方向に延びる細長の取付孔４ｃを穿設してあり、この取付孔４ｃの範囲内で上枠部材５及び下枠部材６を含む導水パネル７を前後方向にアジャスト可能になっており、又、取付金具２４の立上り部２４ａに縦長の止孔２４ｂを穿設し、且つ取付金具２４の埀下部２４ｃに縦長の止孔２４ｄを穿設し、さらに上枠部材５及び下枠部材６に横長のビス穴５ａ，６ａを穿設してあるので、導水パネル７の上下方向及び横方向のアジャストが可能であり、工事現場での作業性に著しく貢献し得るものである。
【図面の簡単な説明】
【図１】本発明に係る取付構造の要部を示す分解斜視図
【図２】導水パネル取付状況を示す正面図
【図３】同上Ａ−Ａ線断面図
【図４】同Ｂ−Ｂ線断面図
【図５】導水パネルの取付構造の部分拡大図
【図６】同じく導水パネルの取付構造を示す横断面拡大図
【図７】他の取付構造を示す要部の分解斜視図
【符号の説明】
１    躯体壁
２    二重壁
３    アンカーボルト
４    取付金具
５    上枠部材
６    下枠部材
７    導水パネル
８    側枠部材
９    空間部
１０  取付金具
１１  取付枠
１２  目地枠
【図１】
2004150252.tif 000003
【図２】
2004150252.tif 000004
【図３】
2004150252.tif 000005
【図４】
2004150252.tif 000006
【図５】
2004150252.tif 000007
【図６】
2004150252.tif 000008
【手続補正書】
【提出日】平成15年4月14日(2003.4.14)
【手続補正１】
【補正対象書類名】明細書
【補正対象項目名】図７
【補正方法】削除
【補正の内容】